(57)【特許請求の範囲】
【請求項１】
血管を振動させるための加振手段と、血管を伝搬した振動を検出する振動検出手段と、血管を伝搬した振動の位相を検出する位相検出手段を備え、伝搬した振動の伝搬速度から血圧の相対値を測定する血圧計において、振動検出手段からの信号を増幅する増幅手段と、増幅手段で増幅された検出信号をディジタル信号に変換するアナログ／ディジタル変換手段と、ディジタル信号に変換された検出信号から信号から脈波成分を検出する脈波検出手段と、ディジタル信号に変換された検出信号から加振手段で発生させた加振信号成分を検出する加振波検出手段と、脈波成分と加振信号成分とから加振手段および振動検出手段の被検体との取り付け状態を判定する判定手段と、判定手段からの判定結果を血圧測定者に知らせるエラー報知手段を有する連続式血圧計。
【請求項２】
前記エラー報知手段は、光で前記判定手段からの判定結果を知らせる表示手段もしくは音で前記判定手段からの判定結果を知らせる発音手段の少なくとも一方を有する請求項１記載の連続式血圧計。
【請求項３】
前記エラー報知手段は、無線発信手段と無線受信手段を有し、被検体の存在する場所とエラー報知手段が設置される場所とが遠隔地であることを可能とする請求項２記載の連続式血圧計。
【請求項４】
前記判定手段は、脈波強度が十分であるか否かおよび受信した加振波の強度が十分であるか否かを判定し、脈波強度が十分で、受信した加振波の強度が十分な場合に正常信号を出力し、脈波強度が十分で、受信した加振波の強度が十分でない場合に加振手段取付けエラー信号を出力し、脈波強度が十分でない場合に振動検出手段取付けエラー信号を出力し、さらに前記エラー報知手段が加振手段取付けエラー時と振動検出手段取付けエラー時とでは異なる表示を行う請求項１から３のいずれかに記載の連続式血圧計。
【請求項５】
前記判定手段は、前記位相検出手段において十分な位相差が検出されているか否かを判定し、脈波強度が十分でなく、受信した加振波の強度が十分でない場合に振動検出手段取付けエラー信号を出力し、脈波強度が十分でなく、受信した加振波の強度が十分で、位相差が十分でない場合に振動検出手段取付けエラー信号を出力し、脈波強度が十分でなく、受信した加振波の強度が十分で、位相差が十分である場合に正常信号を出力する請求項４記載の連続式血圧計。
【請求項６】
前記判定手段は、受信した加振波の強度が第一の所定加振波強度値より小さい場合に前記加振手段における加振振幅を増大させ、受信した加振波の強度が第二の所定加振波強度値より大きい場合に前記加振手段における加振振幅を減少させる請求項１から５のいずれかに記載の連続式血圧計。
【請求項７】
前記判定手段は、前記アナログ−ディジタル変換手段に入力される入力信号強度が、第一の所定入力信号強度値より小さい場合に前記増幅手段における増幅度を増加させ、前記アナログ／ディジタル変換手段に入力される入力信号強度が、第二の所定入力信号強度値より大きい場合に前記増幅手段における増幅度を減少させる請求項１から５のいずれかに記載の連続式血圧計。
【発明の詳細な説明】
【０００１】
【発明の属する技術分野】
本発明は、医療用器具の分野において、生体内血管に微弱な振動を与え、血管内を伝搬した振動を検出し解析することで、血圧を連続的に測定する装置に関する。
【０００２】
【従来の技術】
従来、この種の装置では、例えば特表平９−５０６０２４号公報に示すように、非侵襲で血圧を連続的に計測する方法が提案されている。この方法は、血圧の変化に応じて血管の弾性が変化することを利用し、血管を伝搬する振動の速度を検出することで血管の弾性を算出し、その血管の弾性値から血圧を推定するものである。
【０００３】
以下、このような血圧計測方法について説明する。図９は従来の連続式血圧計のブロック図を示す。被検体の体表から加振器１により血管を振動させ、血管上を伝搬した振動を振動センサ２により検出する。検出した振動をＡ／Ｄ変換器７によりディジタル信号に変換した後、位相検出手段５にてフィルタリング処理、位相検波処理を行い、血圧変動に起因する位相変化を算出し、振動伝搬速度の変化を得る。振動伝搬速度変化は、血管の弾性の変化を表し、血管の弾性の変化は血圧の相対的な値すなわち動圧を表す。この変化を血圧算出手段１０において、同一被検体に別に設置した校正用のカフ式血圧計１１による最高血圧および最低血圧の測定値で校正することにより、生体内の血圧を非侵襲でリアルタイムに計測することができる。
【０００４】
【発明が解決しようとする課題】
しかしながら、この方式において精度の高い血圧検出を行うには、加振器および振動センサを被検体の血管直上の皮膚に配置することが必要であり、長時間にわたる測定においては、被検体の発汗や体動により、加振器１および振動センサ２が位置ずれを起こす確率が非常に高くなり、そのような位置ずれが起こった場合、血管への振動の伝搬もしくは血管の振動の検出が困難となり、血圧測定が不可能となってしまう問題があった。また、血管を伝搬する振動の振幅は、被検体の年齢、性別、症状等により大きくばらつくため、血圧測定に必要とされる加振振幅、入力信号振幅も被検体により大きくばらつき、加振振幅、入力信号振幅が過大であったり、過小であったりして正確に血圧を求めることが困難な被検体が存在するという問題があった。
【０００５】
本発明は、上記の問題点に鑑みてなされたものであり、加振器および振動センサの取付け状態をモニタしながら血圧を測定するものであり、長時間の血圧測定においても安定した信頼性の高い測定が可能であり、また最適な信号振幅が得られるように、加振振幅と受信ゲインを制御することにより、被検体の個体差に影響されずに正確な血圧が測定可能な連続式血圧計を提供することを目的とする。
【０００６】
【課題を解決するための手段】
本発明は、上記目的を達成するために、脈波成分と加振波成分を受信信号から抽出し、それぞれの信号振幅から加振手段および振動検出手段の被検体との取り付け状態を判定し、エラーが検出された場合には光もしくは音で測定者に異常を通知し、また加振信号振幅および入力アンプのゲインを可変とし、血圧検出に最適な信号振幅が得られるように加振信号振幅および入力アンプのゲインを制御するようにしたものである。これにより、長時間の血圧測定においても安定した信頼性の高い測定が可能であり、また被検体の個体差に影響されずに正確な血圧が測定可能となる。
【０００７】
【発明の実施の形態】
本発明の請求項１記載の発明は、血管を振動させるための加振手段と、血管を伝搬した振動を検出する振動検出手段と、血管を伝搬した振動の位相を検出する位相検出手段を備え、伝搬した振動の伝搬速度から血圧の相対値を測定する血圧計において、振動検出手段からの信号を増幅する増幅手段と、増幅手段で増幅された検出信号をディジタル信号に変換するアナログ／ディジタル変換手段と、ディジタル信号に変換された検出信号から信号から脈波成分を検出する脈波検出手段と、ディジタル信号に変換された検出信号から加振手段で発生させた加振信号成分を検出する加振波検出手段と、脈波成分と加振信号成分とから加振手段および振動検出手段の被検体との取り付け状態を判定する判定手段と、判定手段からの判定結果を血圧測定者に知らせるエラー報知手段を有する連続式血圧計であり、血圧を測定しながら、加振手段および振動検出手段が正常に被検体に取り付けらているか否かの判定が可能となり、長時間の血圧測定においても安定して正確な血圧測定が可能となる。また、加振手段および振動検出手段を被検体に装着する際においても、装着が正しく行えているか否かの判定が可能となり、操作性の向上を図ることができる。
【０００８】
また、請求項２記載の発明は、前記エラー報知手段が、光で前記判定手段からの判定結果を知らせる表示手段もしくは音で前記判定手段からの判定結果を知らせる発音手段の少なくとも一方を有する請求項１記載の連続式血圧計であり、被検体に取り付けられた加振手段および振動検出手段が正常に取り付けらているか否かの状態を、光もしくは音により測定者に即座に正確に伝えることができる。
【０００９】
また、請求項３記載の発明は、前記エラー報知手段が、無線発信手段と無線受信手段を有し、被検体の存在する場所とエラー報知手段が設置される場所とが遠隔地であることを可能とする請求項２記載の連続式血圧計であり、被検体の居る血圧測定地点とは遠隔に在する測定者へ、被検体に取り付けられた加振手段および振動検出手段が正常に取り付けらているか否かの状態を知らせることができる。
【００１０】
また、請求項４記載の発明は、前記判定手段が、脈波強度が十分であるか否かおよび受信した加振波の強度が十分であるか否かを判定し、脈波強度が十分で、受信した加振波の強度が十分な場合に正常信号を出力し、脈波強度が十分で、受信した加振波の強度が十分でない場合に加振手段取付けエラー信号を出力し、脈波強度が十分でない場合に振動検出手段取付けエラー信号を出力し、さらに前記エラー報知手段が加振手段取付けエラー時と振動検出手段取付けエラー時とでは異なる表示を行う請求項１から３のいずれかに記載の連続式血圧計であり、血圧測定者は、加振手段の取付けに問題があるのか、振動検出手段の取付けに問題があるのかを明確に知ることができ、血圧検出不能な状態に迅速に対処することができる。
【００１１】
また、請求項５記載の発明は、前記判定手段が、前記位相検出手段において十分な位相差が検出されているか否かを判定し、脈波強度が十分でなく、受信した加振波の強度が十分でない場合に振動検出手段取付けエラー信号を出力し、脈波強度が十分でなく、受信した加振波の強度が十分で、位相差が十分でない場合に振動検出手段取付けエラー信号を出力し、脈波強度が十分でなく、受信した加振波の強度が十分で、位相差が十分である場合に正常信号を出力する請求項４記載の連続式血圧計であり、脈波が十分に検出できない場合でも、血圧検出に必要な位相差が検出できていれば正常状態であると判定が可能で、脈波を必要としない装置構成の場合に、不要なエラー信号を出力しない血圧計が実現できる。
【００１２】
また、請求項６記載の発明は、前記判定手段が、受信した加振波の強度が第一の所定加振波強度値より小さい場合に前記加振手段における加振振幅を増大させ、受信した加振波の強度が第二の所定加振波強度値より大きい場合に前記加振手段における加振振幅を減少させる請求項１から５のいずれかに記載の連続式血圧計であり、被検体の特性により加振信号が血管を伝搬する際に大きく減衰してしまう場合や、血管が深部にある場合でも、十分な加振信号を前記振動検出手段において検出可能となり、血圧測定が可能となる。また、加振信号の減衰が小さい被検体では、必要最小限の加振振幅に抑えられるため、不要に大振幅の振動を与えずに血圧測定が可能となる。
【００１３】
また、請求項７記載の発明は、前記判定手段が、前記アナログ−ディジタル変換手段に入力される入力信号強度が、第一の所定入力信号強度値より小さい場合に前記増幅手段における増幅度を増加させ、前記アナログ／ディジタル変換手段に入力される入力信号強度が、第二の所定入力信号強度値より大きい場合に前記増幅手段における増幅度を減少させる請求項１から５のいずれかに記載の連続式血圧計であり、被検体の特性により加振信号が血管を伝搬する際に大きく減衰してしまう場合や、血管が深部にある場合でも、十分な受信信号を前記アナログ／ディジタル変換手段に入力されるため、血圧測定が可能となる。また、血管が浅部にあり脈波信号が過大に検出される場合においては、増幅手段の増幅度を小さくするため、前記アナログ／ディジタル変換手段における飽和を回避可能となり、血圧測定が可能となる。
【００１４】
次に、本発明の実施の形態について、図面を参照して説明する。
（実施の形態１）
図１は本発明の実施の形態１に係る血圧計の構成ブロック図を示している。血管を振動させる加振手段である加振器１が手首の橈骨動脈上に装着され、血管を伝搬した振動を検出する振動検出である振動センサ２が同じ橈骨動脈の心臓側に装着されている。さらに上腕には血圧測定値校正用のカフ式血圧計３が装着されている。加振信号発生手段４は、位相検出手段５から指示された数百ヘルツ程度の正弦波を発生し、加振器１を駆動する。増幅器６は、振動センサ２からの信号をＡ／Ｄ変換器７の入力レンジに適合した信号に増幅する。Ａ／Ｄ変換器７は、受信信号をディジタル信号に変換する。ディジタル信号に変換された受信信号は、位相差検出手段５、脈波検出手段８、加振波検出手段９にそれぞれ送られる。位相差検出手段５は、位相検波により受信信号から加振周波数成分のみを検出し、その位相変化量を算出する。
【００１５】
図２は位相検波により得られたデータの実数成分と虚数成分とを２次元座標上にプロットした様子を示す。データは、あるオフセット点Ｏを中心とした円周上に分布し、点Ｏから見込んだ位相角の変化量は、血圧の相対値に比例する量となる。
【００１６】
血圧算出手段１０は、カフ式血圧計１１を動作させ、血圧の最低値、最高値を得る。そして、位相差検出手段５からの血圧の相対値をこの最低値、最高値で校正することで、血圧の連続波形を生成し、モニタ１２において表示する。脈波検出手段８は、受信信号に含まれる十数ヘルツ以下の脈波信号を抽出し、２秒程度の期間での最大振幅を検出する。２秒程度というのは、被検体の１心拍以上の期間を目安とした時間であり、この間の最大振幅を検出することで、脈波振幅の最大値を検出することができる。
【００１７】
加振波検出手段９は、受信信号に含まれる加振信号周波数成分のみを抽出し、２秒程度の期間での最大振幅を検出する。２秒程度というのは、上記の脈波検出手段８での検出周期と同程度としたものである。なお、加振波検出手段９の加振信号周波数成分の抽出は、位相差検出手段５に含まれる位相検波出力を用いることも可能である。これにより、ハードウェア、もしくはソフトウェアによる演算時間を削減することができる。
【００１８】
判定手段１３は、脈波検出手段８からの脈波振幅値と加振波検出手段９からの加振波振幅値から加振器１および振動センサ２が血管上に正しく装着されているかどうかの判定を行い、その装着に問題があると判定した場合には、エラー信号を出力し、状態表示ランプ１４およびまたはブザー１５を介して測定者にエラー状態を検知したことを知らせる。
【００１９】
判定手段１３におけるエラー判定アルゴリズムの詳細を図３のフローチャートを用いて説明する。まず、ステップＳ１において脈波の信号強度の判定を行う。これは、例えば脈波検出手段８からの脈波振幅値と予め定められた所定脈波強度値との比較により実現できる。ステップＳ１において、脈波の信号強度が十分でないと判断された場合は、ステップＳ２により振動検出手段取付けエラー信号を出力し、振動センサ２が正しく血管上に装着されてないことを示す。ステップＳ１において、脈波の信号強度が十分であると判断された場合は、ステップＳ３において加振波の信号強度の判定を行う。これは、例えば加振波検出手段９からの加振波振幅値と予め定められた所定加振波強度値との比較により実現できる。ステップＳ３において、加振波の信号強度が十分でないと判断された場合は、ステップＳ４により加振手段取付けエラー信号を出力し、加振器１が正しく血管上に装着されてないことを示す。ステップＳ３において、加振波の信号強度が十分であると判断された場合は、エラー信号は出力せずに、振動センサ２および加振器１が正しく装着されていることを示す。
【００２０】
図１において、状態表示ランプ１４は、図４に示すように加振器状態表示ランプ４１と振動センサ状態表示ランプ４２の２つのランプがパネル４３に取り付けられている。判定手段１３が加振手段取付けエラー信号を出力しているときは、加振器状態表示ランプ４１を赤色に発光し、加振手段取付けエラー信号が出力されていない場合は緑色に発光する。判定手段１３が振動検出手段取付けエラー信号を出力しているときは、振動センサ状態表示ランプ４１を赤色に発光し、振動検出手段取付けエラー信号が出力されていない場合は、緑色に発光する。ブザー１５は、判定手段１３が加振手段取付けエラー信号もしくは振動検出手段取付けエラー信号を出力している場合に発音し、血圧測定者に注意を促す。
【００２１】
以上のように、本発明の実施の形態１に係る血圧計の構成およびセンサの装着状態判定アルゴリズムによれば、加振器１および振動センサ２の被検体への装着状態を常に監視・判定しながら血圧測定を行うことが可能であり、長時間の測定において加振器１および振動センサ２が被検体の発汗等により位置ずれを起こした場合には、即座に測定者が認知可能で、適切な処置を即座に施すことが可能である。このため安定した血圧測定が長時間に渡り実施できる。
【００２２】
（実施の形態２）
図５は本発明の実施の形態２に係る血圧計の構成を示している。本発明の実施の形態２の特徴は、実施の形態１の構成に、さらに無線発信手段１６および無線受信手段１７を設けた点にある。その他、実施の形態１と同等の作用を果たす構成要素については同一の符号を付し、その説明については省略する。
【００２３】
無線発信手段１６は、判定手段１３からのエラー信号を入力とし、エラー信号情報を電波情報として変調して無線受信手段１７に伝送し、同時に、血圧算出手段１０からの血圧波形信号も入力として変調し、無線受信手段１７に伝送する。無線受信手段１７は、無線発信手段１６からの電波情報を受信し、エラー信号情報として復調する。復調されたエラー信号は、状態表示ランプ１４およびまたはブザー１５を介して測定者にエラー状態を検知したことを知らせる。さらに無線受信手段１７は、血圧算出手段１０からの血圧波形信号も復調し、接続されたモニタ１２により血圧波形を表示する。
【００２４】
以上のように、本発明の実施の形態２に係る血圧計の構成によれば、無線発信手段１６と無線受信手段１７により、看護婦などの測定者は、被検体の居る病室から離れた場所にあるナースステーションからでも、血圧波形および血圧測定の状態を監視することができ、血圧測定の集中管理が可能となる。
【００２５】
（実施の形態３）
図６は本発明の実施の形態３に係る血圧計の判定手段におけるエラー判定アルゴリズムのフローチャートを示している。まず、ステップＳ５において脈波の信号強度の判定を行う。これは、例えば脈波検出手段８からの脈波振幅値と予め定められた所定脈波強度値との比較により実現できる。ステップＳ５において、脈波の信号強度が十分でないと判断された場合は、ステップＳ６において加振波の信号強度の判定を行う。これは、例えば加振波検出手段９からの加振波振幅値と予め定められた所定加振波強度値との比較により実現できる。ステップＳ６において、加振波の信号強度が十分でないと判断された場合は、ステップＳ７により振動検出手段取付けエラー信号を出力し、振動センサ２が正しく血管上に装着されてないことを示す。
【００２６】
ステップＳ６において、加振波の信号強度が十分であると判断された場合は、ステップＳ８において受信した加振信号の位相差が十分に検出されているかを判断する。これは、例えば位相検出手段５からの位相信号が、予め定められた期間所定値内において、予め定められた位相差所定値以上の位相差を持つか否かの比較により実現できる。ステップＳ８において、十分な位相差が検出されていないと判断された場合は、ステップＳ７により振動検出手段取付けエラー信号を出力し、振動センサ２が正しく血管上に装着されてないことを示す。ステップＳ８において、十分な位相差が検出されていると判断された場合は、脈波は十分な振幅で検出されていないが、血圧測定に必要な加振波信号の位相差が十分に得られている場合であり、エラー信号は出力せずに終了する。
【００２７】
ステップＳ５において、脈波の信号強度が十分であると判断された場合は、ステップＳ９において加振波の信号強度の判定を行う。これは、ステップＳ６と同様に、例えば加振波検出手段９からの加振波振幅値と予め定められた所定加振波強度値との比較により実現できる。ステップＳ９において、加振波の信号強度が十分でないと判断された場合は、ステップＳ１０により加振手段取付けエラー信号を出力し、加振器１が正しく血管上に装着されてないことを示す。ステップＳ９において、加振波の信号強度が十分であると判断された場合は、エラー信号は出力せずに終了する。
【００２８】
以上のように、本発明の実施の形態３に係る血圧計の構成によれば、脈波が十分に検出できない場合でも、血圧検出に必要な位相差が検出できていれば正常状態であると判定するので、脈波を必要としない装置構成の場合に、不要なエラー信号を出力することのない血圧計が実現できる。
【００２９】
（実施の形態４）
図７は本発明の実施の形態４に係る血圧計の判定手段における加振信号振幅制御アルゴリズムのフローチャートを示している。本実施の形態４において、図１の加振信号発生手段４は、可変ゲインの増幅器を有しており、加振器１に与える信号振幅を変化させることが可能な構成とする。またその増幅度は判定手段１３からの制御信号で制御される構成となる。
【００３０】
図７において、ステップＳ１１は加振波検出手段９からの受信加振波信号強度が予め定められた第一の所定加振波強度値  ＴＨｍ１  より大きいか否かを判定する。ステップＳ１１において、受信加振波信号強度が第一の所定加振波強度値  ＴＨｍ１  より大きくないと判定された場合は、ステップＳ１２により現在の加振器出力振幅が予め定められた加振器出力制限値  ＴＨｌｍｔより小さいか否かを判定する。ステップＳ１２において、現在の加振器出力が加振器出力制限値  ＴＨｌｍｔより小さいと判定された場合は、ステップＳ１３により加振信号振幅が増加され、その指令は加振信号発生手段４に伝達される。ステップＳ１２において、現在の加振器出力が加振器出力制限値  ＴＨｌｍｔより小さくないと判定された場合は、そのまま終了する。
【００３１】
ステップＳ１１において、受信加振波信号強度が第一の所定加振波強度値  ＴＨｍ１  より大きいと判定された場合は、ステップ１４により、加振波検出手段９からの受信加振波信号強度が予め定められた第二の所定加振波強度値  ＴＨｍ２  より大きいか否かを判定する。ステップ１４において、受信加振波信号強度が第二の所定加振波強度値  ＴＨｍ２  より大きくないと判定された場合は、そのまま終了する。ステップ１４において受信加振波信号強度が第二の所定加振波強度値  ＴＨｍ２  より大きいと判定された場合は、ステップＳ１５により加振信号振幅を減少し、その指令は加振信号発生手段４に伝達される。
【００３２】
以上のように、本発明の実施の形態４に係る血圧計の構成によれば、被検体の特性により加振信号が血管を伝搬する際に大きく減衰してしまう場合や、血管が深部にあるでは、加振器に与える加振信号振幅を増加させることで、血圧検出に十分な加振信号が振動センサ２において検出可能となり、血圧測定を行うことができる。また、加振信号の減衰が小さい被検体では、加振信号振幅を減少させることで必要最小限の加振振幅に抑えられるため、不要に大振幅の振動を与えずに血圧測定が可能となり、消費電力の抑制、被検体へあたえる不快感の緩和が可能である。
【００３３】
（実施の形態５）
図８は本発明の実施の形態５に係る血圧計の判定手段における増幅器６の増幅度制御アルゴリズムのフローチャートを示している。本実施の形態５では、図１の増幅器６は、可変ゲインの増幅器で実現され、その増幅度は判定手段１３からの制御信号で制御される構成とする。
【００３４】
図８において、ステップＳ１６は、Ａ／Ｄ変換器７からの出力信号の絶対値の最大値が第一の所定入力信号強度値  ＴＨａ１  より大きいか否かを判定する。ステップＳ１６において、Ａ／Ｄ変換器７からの出力信号の絶対値の最大値が第一の所定入力信号強度値  ＴＨａ１  より大きくないと判定された場合は、Ａ／Ｄ変換器７に入力されている信号振幅は過小であるとみなし、ステップＳ１７により、増幅器６での増幅度を増加させるよう出力が行われる。ステップＳ１６において、Ａ／Ｄ変換器７からの出力信号の絶対値の最大値が第一の所定入力信号強度値  ＴＨａ１  より大きいと判定された場合は、ステップＳ１８により、Ａ／Ｄ  変換器７からの出力信号の絶対値の最大値が第二の所定入力信号強度値  ＴＨａ２  より大きいか否かを判定する。
【００３５】
ステップＳ１８により、Ａ／Ｄ変換器７からの出力信号の絶対値の最大値が第二の所定入力信号強度値  ＴＨａ２  より大きくないと判定された場合は、Ａ／Ｄ変換器７に入力されている信号振幅は規定の範囲に入っているとみなし、そのまま終了する。ステップＳ１８により、Ａ／Ｄ変換器７からの出力信号の絶対値の最大値が第二の所定入力信号強度値  ＴＨａ２  より大きいと判定された場合は、Ａ／Ｄ変換器７に入力されている信号振幅は過大であるとみなし、ステップＳ１９により増幅器６での増幅度を減少させるよう出力が行われる。
【００３６】
以上のように、本発明の実施の形態５に係る血圧計の構成によれば、、被検体の特性により加振信号が血管を伝搬する際に大きく減衰してしまう場合や、血管が深部にあり、Ａ／Ｄ変換器７に入力される受信信号の振幅が過小であると判断される場合は、Ａ／Ｄ変換器７の前段の増幅器６の増幅度を増加させ、十分な振幅の信号をＡ／Ｄ変換器７に入力されるため、精度の高い血圧測定が可能となる。また、血管が浅部にあり脈波信号が過大に検出され、Ａ／Ｄ変換器７において飽和が発生する可能性がある場合においては、増幅器６の増幅度を小さくし、Ａ／Ｄ変換器７における飽和を回避可能となり、多様な特性をもつ被検体に対しても血圧測定が可能な装置を構成することができる。
【００３７】
【発明の効果】
以上の説明から明らかなように、本発明によれば受信信号から加振信号成分と脈波成分とを抽出し、それぞれの振幅強度を用いた条件判断することにより、加振手段と振動検出手段が、被検体に正しく装着されているか否かの検出が可能となる。そのため、加振手段や振動検出手段の装着時において、それらの装着位置が正しいか否かが即座に測定者に通知され、血圧測定が容易な血圧計を提供できる。また、長時間の血圧計測において、加振手段や振動検出手段が被検体の発汗や体動などにより装着不良となった場合には、即座にエラー信号として測定者に通知されるので、信頼性の高い血圧測定が可能である。また、加振信号振幅および受信信号振幅を受信信号の状態に応じて制御することにより、血圧検出が精度良く行うことが可能である。
【図面の簡単な説明】
【図１】本発明の実施の形態１に係る血圧計の使用態様とブロック図
【図２】実施の形態１に係る血圧計の位相検出手段にて得られるデータのプロット図
【図３】実施の形態１に係る血圧計の判定手段におけるエラー判定のフロー図
【図４】実施の形態１に係る血圧計の振動センサの正面図
【図５】本発明の実施の形態２に係る血圧計の使用態様とブロック図
【図６】本発明の実施の形態３に係る血圧計の判定手段におけるエラー判定のフロー図
【図７】本発明の実施の形態４に係る血圧計の判定手段における加振信号振幅制御のフロー図
【図８】本発明の実施の形態５に係る血圧計の判定手段における増幅器制御のフロー図
【図９】従来の血圧計の使用態様とブロック図
【符号の説明】
１    加振器（加振手段）
２    振動センサ（振動検出手段）
３    カフ式血圧計
４    加振信号発生手段
５    位相検出手段
６    増幅器
７    Ａ／Ｄ変換器
８    脈波検出手段
９    加振波検出手段
１０    血圧算出手段
１１    カフ式血圧計
１２    モニタ
１３    判定手段
１４    状態表示ランプ（エラー報知手段）
１５    ブザー（エラー報知手段）
１６    無線発信手段
１７    無線受信手段
【図１】
0003626024.tif 000002
【図２】
0003626024.tif 000003
【図３】
0003626024.tif 000004
【図４】
0003626024.tif 000005
【図５】
0003626024.tif 000006
【図６】
0003626024.tif 000007
【図７】
0003626024.tif 000008
【図８】
0003626024.tif 000009
【図９】
0003626024.tif 000010